Podtech/llm-jp-corpus-v4-ja_patent huggingface dataset:
(57)【要約】【課題】  控金具部分の突起が見えず、側面から見ても違和感ない外観の良い竪樋用控金具を提供する。【解決手段】  竪樋１２の周方向の形状にならった形状を有し竪樋１２の周方向の前面の一部を省く部分を把持する竪樋把持部１３と、竪樋把持部１３から壁面側に突出して設けられ、竪樋１２を取り付ける壁面に打ち込むための止着部１４と、竪樋把持部１３先端間の連結に設けられる連結部１５とで構成し、連結部１５の両端に設けられた嵌合凸部１６を竪樋把持部１３先端の嵌合凹部１７に嵌着することで竪樋１２を把持するものである。【選択図】  図１
2006207203.tif 000002
【特許請求の範囲】
【請求項１】
竪樋の周方向の形状にならった形状を有し竪樋の周方向の前面の一部を省く部分を把持する竪樋把持部と、竪樋把持部から壁面側に突出して設けられ、竪樋を取り付ける壁面に打ち込むための止着部と、竪樋把持部先端間の連結に設けられる連結部とで構成し、連結部の両端に設けられた嵌合凸部を竪樋把持部先端の嵌合凹部に嵌着することで竪樋を把持することを特徴とする竪樋用控金具。
【発明の詳細な説明】
【技術分野】
【０００１】
本願発明は、竪樋を建物等の壁面に固定支持するための竪樋用控金具に関するものである。
【背景技術】
【０００２】
従来より、住宅やビルなどの建物等の壁面に沿って竪樋を取り付けるために竪樋用控金具が使用されている。従来の竪樋用控金具の一例（特許文献１）を図４に示す。
【０００３】
竪樋用控金具５１は、リング状の竪樋把持部５２と建物の壁面に打ち込むための止着部５３を有する。リング状の竪樋把持部５２は一対のハーフリング状把持部５４、５５の一端同士５４ａ、５５ａを枢着軸５６により枢着させ、ハーフリング状把持部５４の他端５４ｂには係合突起部５７が形成され、ハーフリング状把持部５５の他端５５ｂには係合孔５８が形成され、係合突起部５７と係合孔５８の係合により固定され、竪樋５９の周囲を把持するようになっている。また、ハーフリング状把持部５４の中央付近からは、建物の壁面に打ち込み固定するためのピン状の止着部５３が突設されている。図４に示す竪樋用控金具５１は竪丸樋用のものであるが、竪角樋用の場合には、竪樋把持部５２は角樋の周形状にならった形状に形成される。
【０００４】
ところが、このような竪樋用控金具５１はその形状が竪樋５９の全周を枢着軸５６を軸に係合孔５８が係合突起部５７で係合して包み込む形状のため、竪樋用控金具５１の枢着軸５６及び係合突起部５７部分に突起部が生じ、外観上違和感が発生していた。
【特許文献１】特開平１０−２４５７号公報
【発明の開示】
【発明が解決しようとする課題】
【０００５】
上記特許文献１のような竪樋用控金具５１は、その形状が竪樋５９の全周を枢着軸５６を軸に係合孔５８が係合突起部５７で係合して包み込む形状のため、竪樋用控金具５１の枢着軸５６及び係合突起部５７部分に突起部が生じ、外観面で違和感があった。
【０００６】
本願発明は、以上のとおりの事情に鑑みてなされたもので、竪樋用控金具部分の突起部が見えず、側面から見ても違和感をなくすことができる竪樋用控金具を提供することを課題とする。
【課題を解決するための手段】
【０００７】
本願発明の竪樋用控金具１１は、上記課題を解決するため、竪樋１２の周方向の形状にならった形状を有し竪樋１２の周方向の前面の一部を省く部分を把持する竪樋把持部１３と、竪樋把持部１３から壁面側に突出して設けられ、竪樋１２を取り付ける壁面に打ち込むための止着部１４と、竪樋把持部１３先端間の連結に設けられる連結部１５とで構成し、連結部１５の両端に設けられた嵌合凸部１６を竪樋把持部１３先端の嵌合凹部１７に嵌着することで竪樋１２を把持するものである。
【発明の効果】
【０００８】
本願発明によれば、連結部と竪樋把持部とを略同一肉厚で、竪樋の周方向の前面一部を連結することにより竪樋を把持しているので、竪樋用控金具に突起部が前面から見えず、側面から見ても違和感がなく、施工後の外観が良くなる。
【発明を実施するための最良の形態】
【０００９】
本願発明は上記のとおりの特徴をもつものであるが、以下にその実施の形態について説明する。
【００１０】
図１は、本願発明による竪樋用控金具の一実施形態を模式的に示す平面図である。図２は、本願発明による竪樋用控金具の実施形態を模式的に示す斜視図である。図３は、本願発明による竪樋用控金具の係合部を示す断面図である。図１、図２、図３に示すように、本願発明による竪樋用控金具１１は竪樋１２の周方向の形状にならった形状を有し竪樋１２の周方向の前面の一部を省く部分を把持する竪樋把持部１３と、竪樋把持部１３から壁面側に突出して設けられ、竪樋１２を取り付ける壁面に打ち込むための止着部１４と、竪樋把持部１３先端間の連結に設けられる連結部１５とで構成し、連結部１５の両端に設けられた嵌合凸部１６を竪樋把持部１３先端の嵌合凹部１７に嵌着することで竪樋１２を把持するものである。
【００１１】
本実施形態の竪樋用控金具１１は、竪樋１２取付用の控金具であり、竪樋把持部１３と、止着部１４と、連結部１５を有し、竪樋把持部１３と連結部１５とはそれぞれ合成樹脂から形成される。上記合成樹脂としては、例えば、硬質塩化ビニル、ポリプロピレン等の硬質樹脂が好ましく用いられる。または、アルミニウム、ステンレス鋼等の金属を用いて構成しても良いものである。
【００１２】
竪樋把持部１３は、その周方向の形状が竪樋１２の周方向の形状にならって曲成されており、竪樋１２全周の１／３〜１／４程度（９０〜１２０度）を包み込み、高さ方向の幅は一定となっている。竪樋把持部１３の壁面側の面には台部１９を介して外側方向に釘状の止着部１４が突出して形成されている。止着部１４はネジ形状であっても良い。
【００１３】
連結部１５は、竪樋１２の膨張や寸法精度のバラツキを吸収して取付できるように、蛇腹部１８を設け、軟質塩化ビニルのような軟質材で伸縮自在としている。
【００１４】
連結部１５と竪樋把持部１３とを略同一肉厚で、連結部１５の両端に設けられた嵌合凸部１６を竪樋把持部１３先端の嵌合凹部１７に嵌着することで竪樋１２を把持するから、竪樋用控金具１１に突起部が前面から見えず、側面から見ても違和感がなく、施工後の外観が良くなるものである。
【図面の簡単な説明】
【００１５】
【図１】本願発明による竪樋用控金具の実施形態を模式的に示す平面図である。
【図２】本願発明による竪樋用控金具の実施形態を模式的に示す斜視図である。
【図３】本願発明による竪樋用控金具の係合部を示す断面図である。
【図４】従来の竪樋用控金具を示す斜視図である。
【符号の説明】
【００１６】
１１          竪樋用控金具
１２          竪樋
１３          竪樋把持部
１４          止着部
１５          連結部
１６          嵌合凸部
１７          嵌合凹部  
【図１】
2006207203.tif 000003
【図２】
2006207203.tif 000004
【図３】
2006207203.tif 000005
【図４】
2006207203.tif 000006
(57)【要約】【課題】    従来のメガネ用鼻パツトは、鼻に対し平面的な接触で鼻の右左両側より挟み込む状態で固定するため、当初掛けられたメガネの位置から時間と共に使用者の鼻汗によって、下方向にズレ落ちやすく成り、その際鼻孔を圧迫刺激し、むずむず感や不快感が伴いがちであった。【解決手段】    従来のメガネ鼻パツト取り付け部に、鼻の上を跨ぐアーチ形のパツトを取り付ける事により鼻に対し、鼻の上部及び鼻の右左を線接触に近い形で固定する事により、従来のパツト部分が無くなり使用者の鼻の高低によつてメガネの位置を前後、右左、上下と微妙に自分で調整調節が可能で鼻に合つたメガネを掛ける事ができると共に、鼻孔への圧迫感や不快感などを、全て解消する事ができる。【選択図】  図２
2006201248.tif 000002
【特許請求の範囲】
【請求項１】
一般的メガネフレーム1、において、右左に鼻パツト取り付け部2、を有する、取り付け部付きメガネフレームにおいて、鼻の上を跨ぐアーチ部分が、パツトの役目を有することを特徴とするアーチ形ソフトパツト3であり、パツト3の材質は軟質のゴム材や軟質プラスチック材など各種材料を成形加工し作られ、支持体5は記憶合金やアルミ合金や金など各種金属製の棒状体を成形加工したメガネのアーチ形ソフトパット。
【発明の詳細な説明】
【技術分野】
【０００１】
本発明は、一般的なメガネの鼻孔への圧迫感を取り除いたパツトに関する。
【背景技術】
【０００２】
従来からの一般用メガネは、鼻パツト部分が、平面的で、且つ滑りやすい形で鼻の右左両側より挟み込む状態で固定する形式に成っている。
【特許文献１】特開2002−221693号
【発明の開示】
【発明が解決しようとする課題】
【０００３】
以上に述べた従来のメガネでは、パツト部分が、鼻汗により滑りやすく成り、ズレ落ち鼻孔を圧迫、刺激するものであつた。
【０００４】
本発明は、このような従来の構成が有していた問題を解決するものであり、パツト部分が鼻汗による鼻からのズレ落ちを防ぎ、鼻孔への圧迫を効果的に無くする物である。
【課題を解決するための手段】
【０００５】
本発明は、上記目的を達成するために、従来からの一般的メガネにおいて、鼻を中芯とし、右左にパツト取り付け部を有する、取り付け部付メガネフレームであれば、従来のメガネに使用されている鼻パツトを取り付け部分より取り除き、その取り付け部分にアーチ形ソフトパツト を取り付ける事により、従来の鼻パツト位置より上部にて、鼻の高低に合わしたソフトパ ツト部分を、アーチ形にし固定するものである。
【発明の効果】
【０００６】
上述したように、本発明のメガネ用アーチ形ソフトパツトは、メガネが鼻汗によるズレ落ちを防ぐとともに、鼻孔への圧迫感、不快感を解消する事ができる。
【０００７】
また、アーチ形ソフトパツトは、従来のパツト位置より上の方にあるため鼻孔粘膜への刺激が全く無くなり、それまでのむずむず感が消える。
【発明を実施するための最良の形態】
【０００８】
以下、本発明の実施の形態を図1〜図5に基づいて説明する。
【０００９】
図において、1は一般的メガネフレームで、鼻パツト取り付け部2、アーチ形ソフトパツト3、アーチ形ソフトパツト取り付け部4、アーチ形ソフトパツト支持体5、から構成されている。
【００１０】
2の鼻パツト取り付け部は、一般的メガネフレーム1、に付いている従来からの鼻パツト取り付け部4、を利用している為、アーチ形ソフトパツト3、に取り替えるだけで使用できる。
【００１１】
従来の鼻パツトは、鼻に対して平面的な接触によってメガネフレームを支えているが、平面的がゆえに、顔の油や、鼻汗によつていとも簡単にズレ落ち易く成る欠点があり、それに対し、アーチ形ソフトパツト3、は鼻の上を右左に跨ぐアーチ部分が、パツトの役目を果す為、鼻に対して線接触に近く、極めてズレ落ち難い形態となっている。                                                             
【００１２】
アーチ形ソフトパツト3、は支持体5、により使用者の鼻の高さ大きさに自由に且つ微妙に前後、右左、上下に変形、調節する事ができる様に、ソフトパツトのアーチ部分の長さは、ある程度の余裕を各折り曲げ部分即ち、微妙なカーブによってアーチ形ソフトパツト3全体で持たせ、使用者の鼻の形に合わし容易にフイツトさせる事ができる。
【００１３】
アーチ形ソフトパツト3、は鼻を中心に、鼻の上を跨ぐ為、顔正面から見て、ソフトパツトのアーチ部分が見えやすい位置にあるのでメガネのフアッシヨン性を考え、メガネのフレーム1に合った色又は使用者の顔に似合う色彩のものに付け替える事により、より、見栄え良くフアッシヨン性も高まり、使用者に対し満足度を提供する事ができる。
【図面の簡単な説明】
【００１４】
【図１】本発明の実施形態を示すメガネフレームの平面図
【図２】同メガネフレームの後方から見た外観図
【図３】同メガネフレームの図2におけるA-A線断面図
【図４】アーチ形ソフトパツトの前方右上から見た外観図
【図５】アーチ形ソフトパツトの図4におけるB-B断面図
【符号の説明】
【００１５】
1    一般的メガネフレーム
2    鼻パツト取り付け部
3    アーチ形ソフトパツト
4    アーチ形ソフトパツト取り付け部
5    アーチ形ソフトパツト支持体
【図１】
2006201248.tif 000003
【図２】
2006201248.tif 000004
【図３】
2006201248.tif 000005
【図４】
2006201248.tif 000006
【図５】
2006201248.tif 000007
(57)【要約】      （修正有）【課題】自由な形状で安定的、しかも幅広い音域をもつ太鼓を低価格で提供すること。【解決手段】太鼓発泡合成樹脂（ポリスチレンフォーム）を芯材とした胴を有するもので、表面処理にＦＲＰ（ガラス繊維強化プラスチック）を積層させ胴開口部Ａから中央部Ｂにかけて、大きく肉厚を変化させたもので、胴内部の音の振動、スピードに、変化をもたらすものである。【選択図】図１
2006201358.tif 000002
【特許請求の範囲】
【請求項１】
太鼓の打音、その音量、音質変化のために胴の形状、強度を組み合わせできることを特徴とする発泡合成樹脂を芯材とした胴を有する太鼓。
【請求項２】
請求項１の発泡合成樹脂、ポリスチレンフォームは、発泡倍率４０倍、２４ＫＧ/ｍ３を用いて、フォーム強度を増すため、また後加工にて塗装を容易にするためフォーム表面にＦＲＰを積層させることを、特徴とする太鼓。          
【発明の詳細な説明】
【技術分野】
【０００１】
本発明は、太鼓（和太鼓）の胴の素材として、ポリスチレンフォームを芯材とするもので、安価で軽量、その加工のし易さから胴の自由な形状を造りだせる。その表面処理にＦＲＰを積層させ、強度、耐候性にも優れた形状安定したものになり、従来にない幅広い音域を持たせることができる。
【背景技術】
【０００２】
一般的に和太鼓の胴の構造としては、欅、楠、等の木の幹を輪切りにし、その中をくり抜いた一木づくり、及び杉柾を使用した桶づくりの、木枠が主流である。木枠故に、割れや、くせり（変形）が多く、メンテナンスも容易ではない。
【０００３】
この改善策として、硬質ポリウレタン原液注入の胴、あるいは繊維強化プラスチック一体成形型の胴が開発された。
【特許文献１】特許出願公告  昭６３−５６５５５
【特許文献２】特開２００２−５５６７７
【発明の開示】
【発明が解決しようとする課題】
【０００４】
前述の木枠づくりは、原木の入手困難、製造コストが高く、非常に高価なもので、一般に、子供たちから大人まで、プロからアマチュアまで、身近に太鼓を楽しむとは、いかない。又胴は重く、特に子供たちには取り扱いが困難。木枠故に形状変化に乏しく、音色も単調である。温度、湿度に変化を受けやすく、保管には十分の注意が必要である。
【課題を解決するための手段】
【０００５】
本発明の太鼓は、子供たちの教材用からプロ仕様までの、幅広いニーズに答えるもので、軽量、低価格、音域変化を実現させるべく、切り出し加工、及び成型加工容易な、ポリスチレンフォームを芯材とした。ポリスチレンフォームは、圧縮強度に優れ、５％ひずみ圧縮応力（ＪＩＳ−Ｋ７２２０）１０．０Ｎ／cｍ２以上の材料を使用、形状は任意ではあるが、音域調整可能な、中絞り型とした。図１表面保護には、強度を増す為に、ポリエステル樹脂、ガラス繊維を積層させ、ポリパテで形状を整え、ウレタン塗装をして仕上げとした。  
【発明の効果】
【０００６】
ポリスチレンフォームの遮音性、胴の肉厚変化により、打音振動が胴の中央部に集中、中央部通過後、スピード上げて開放、対面振動へと、従来にはない反応のよさと、透明感のある音色を得た。重々しい腹のそこに響く音色ではなく、澄み切った柔らかい音色、特に高音色の心地よい音である。図２
【発明を実施するための最良の形態】
【０００７】
製造コストは、従来品に比べ、約2割から3割程度、削減できた。メンテナンスも容易で、ひび割れ、くせりがないため半永久的、又ウレタン塗装メタリック塗装など、カラーバリエーションも豊富で、ステージのドレスアップにも貢献しました。太鼓工房の職人の方からも、皮の引っ張りバランスがよい、奏者の方からも、腰にフィットし、打ちやすいと好評です。太鼓のイメージを一新した和洋兼用のスタイル、音色に、今後期待が寄せられます。
【実施例１】
【０００８】
図１は、本太鼓の断面図を示し、胴の中央部に大きく膨らみをもたせたのに特徴があります。
【０００９】
図２は、打音時の、音の伝わり経路を示します。
【図面の簡単な説明】
【００１０】
【図１】開口部Ａから中央部Ｂにかけて、大きく肉厚を変化させた中絞り型の胴の形状を表したものです。
【図２】太鼓の、打音時の音の経路を表したものです。
【図１】
2006201358.tif 000003
【図２】
2006201358.tif 000004
(57)【要約】 【課題】  一般のメガネはツルが耳掛け式で、ヘアメイク中は使用できなかった。【解決手段】  頬骨弓から耳孔前までの、目じり延長線より下方部と、鼻当てパットでもってメガネ本体を支持し、メガネのツルを耳掛けをしないで固定するもので、、該ツルをレンズフレーム接続部から身尻近傍で下方へ湾曲させ、長さは頬骨弓部の耳孔前に生じた窪みに達し、耳孔に達しない範囲としたものである。【選択図】  図１
2006201573.tif 000002
【特許請求の範囲】
【請求項１】
頬骨弓から耳孔前までの、目じり延長線より下方部と、鼻当てパットでもってメガネ本体を支持することを特徴とするメガネの装着法。
【請求項２】
メガネのツルが耳掛け部を有さないものであって、該ツルを、レンズフレーム接続部から目尻近傍で下方へ湾曲させ、長さは頬骨弓部の耳孔前に生じた窪みに達し、耳孔に達しない範囲としたことを特徴とするメガネの構造。
【発明の詳細な説明】
【技術分野】
【０００１】
主に美容室でヘアメイク中にも使うことができ、また、掛け外しを頻繁にする際に使用するメガネとすることなどを目的とする。耳より前方の頬骨弓部の骨の縁に当接しつつ耳孔前に生じた窪みより長くならないツルと鼻当てでもって固定し、耳掛け部を持たないメガネフレームに関する。
【背景技術】
【０００２】
耳掛け部を有さないメガネフレームの先願としては以下のような文献が開示されている。
【特許文献１】特開平９−２５８１４３発明の名称「メガネフレームのツル」
【０００３】
本先願の要旨は、「顔のコメカミで固定するメガネとして発明されたもので、メガネのツルはバネで変形することの出来る２本のアームを上下方向に所定の間隔をおいて設け、その先端には柔軟性のあるパットを取り付けている。」とされている。
【発明の開示】
【発明が解決しようとする課題】
【０００４】
主に老眼の人が美容室でヘアメイク中、髪をタオルやキャップで覆われている間に読書をしようとした場合、メガネのツルを髪の毛の方向へ挿し通すことや、耳に掛けることが出来ず、結果的にメガネを掛けられない状態で文字が見えにくく本を読むことができないため、ゆっくりくつろぐことができないなどの不自由がある。従来のメガネが使用できないのは、ツルが耳の後ろまであり、髪の毛の中へツルを入れなければならないためである。メガネのツルの構造を変え、違和感の少ない顔面の部分でメガネを支えることによりこの不自由を解消することが課題である。
メガネを耳に掛けずに固定できる方法として、上段に記載した文献１の先願があるが、この方法は、コメカミで固定するものである。
この部分は、血行を促すツボとして指圧などで押点とされている。しかし、それは、極めて短時間押す場合の効果であり、実際、その部分を１分以上圧迫すると、逆に不快症状となる。また、顔の周囲に巻かれたタオルは、パーマ液やヘヤダイ液が垂れないように巻くので、しっかりと顔に密着していて、隙間がなく、ツルの先端のパットなどの突起物は違和感が有る。
【０００５】
また、先願では、ツルの先端の二本に枝別れした部分の、皮膚への接触点が目じりより上に位置するため、汗をかいたり、下を向いたりした場合脱落し易い。
【課題を解決するための手段】
【０００６】
先ず、本発明のメガネの装着方法は、頬骨弓端部の耳寄りに生じた弓なりの骨縁と耳孔前に生じた窪み部と、鼻当てパットでもってメガネ本体を支持するものである。
図２に示す装着態様と部位の詳細図をもとに説明する。
頬骨弓（きょうこつきゅう）７とは、眼球の外側を取り囲む骨であり、コメカミ側が蝶形骨１２に接し、耳寄りが側頭骨１１に接し、下側は上顎骨１３、下顎骨１０に接している。耳中央部顔面側には指で押さえて感じる窪み９部位がある。ここは、顎関節の付け根で、軽い圧迫に不快の少ない部分である。そこから指を当てると、目じり方向へ弓なりに頬骨弓の渕が段状になっていることが確認できる。
つまり、本発明は、この骨の線上耳寄りの窪みにツルの先端を位置させることで、少ない押圧力と鼻骨上とでメガネの脱落を防ぎ支持するものである。
次に本発明の構造は、ツル３の方向を目じり近傍より下方へ耳孔８に向かって湾曲４させ、頬骨弓部の耳寄りに生じた弓なりの骨縁と耳孔前に生じた窪み９上に達する長さとしたツルの形と、鼻当てパット６を有した構造のメガネである。
【発明の効果】
【０００７】
このような方法で構成されたメガネは、ヘアメイク中、髪を包むタオルを巻いた状態にあっても、メガネを装着したとき、ツル先端が顔面の範囲にとどまり、髪の毛の中に挿し通す必要がないので、支障なく使用することができ、待ち時間に読書をすることが出来る。
ツルを下方に曲げ、耳孔手前の窪みで留めることは、違和感を最小限に抑えることができ、ツル先端と、そこに至るツル素材内面と、鼻頭上とでメガネ本体を支えることは、脱落しにくく使用感も良好となる。構造が簡単で、頻繁に掛け外す場合も耳掛け式のように、髪の毛にふれないので、髪が乱れる心配もない。
【発明を実施するための最良の形態】
【０００８】
実施例を図面に従って説明する。
鼻当てパット６を備えたメガネ本体１のフレーム２上側部角に接続されたツル３を装着して目尻上方部、長さにして３センチ前後のところで耳孔８方向に向かって下方に湾曲４させ、ツル先端５が、装着時の頬骨弓７の端部で、耳孔８より手前の窪み９に当たる位置までとする。このツルの肌への接触範囲は、頬骨弓なりに接触部位を設けることや、ツル先端５を顔の縦方向にやや折り曲げた形状として、接触部位を設けることなどによって、圧迫感をより緩和することができる。左右のツルの間隔は、顔面幅内で圧迫感に違和感のない範囲とする。先端に、滑り止めと違和感の緩和のためクッション材１４を設けるとなお良好な使用感となる。
【図面の簡単な説明】
【０００９】
【図１】本発明実施例斜視図である。
【図２】使用態様と骨格構造図である。
【符号の説明】
【００１０】
１  メガネ本体
２  フレーム
３  ツル
４  湾曲部
５  ツル先端
６  鼻当てパット
７  頬骨弓
８  耳孔
９  窪み
１０  下顎骨
１１  側頭骨
１２  蝶形骨
１３  上顎骨
１４  滑り止めクッション
【図１】
2006201573.tif 000003
【図２】
2006201573.tif 000004
(57)【要約】      （修正有）【課題】見やすく、分かりやすくした時計の時刻の表示方法を提供する。【解決手段】時計の表示盤１に、時間を表す大きい四角などの図形２を２４個、分を表す小さい四角などの図形３を６０個配置し、大きい図形２に、その時刻の時間の数だけ色を付け、小さい図形３に、その時刻の分の数だけ色をつけることによって、時刻を表示する。また、時間を表す図形をアーチ型に配置し、色の濃さと明るさを変化させ、昼と夜の太陽の動きをイメージさせる。【選択図】  図１
2006201146.tif 000002
【特許請求の範囲】
【請求項１】
時計の表示盤（１）の中に、時間を表す大きい四角などの図形（２）を２４個、分を表す小さい四角などの図形（３）を６０個配置し、大きい図形（２）に、その時刻の時間の数だけ色を付け、小さい図形（３）に、その時刻の分の数だけ色をつける。
以上の如く、図形の構成で時刻を示す時計の表示方法。
【請求項２】
夜の時間帯を表す図形（２）の色を濃く（５）、昼の時間帯を表す図形（２）の色を明るく（４）、朝及び夕方の時間帯を表す図形の色をその中間色にし、昼と夜をイメージしやすくした、「請求項１」の時刻表示方法。
【請求項３】
時間を表す大きい四角などの図形（２）をアーチ型に配置し、時の動きを太陽の動きにダブらせ、イメージしやすくした、「請求項１」の時刻表示方法。
【発明の詳細な説明】
【発明の詳細な説明】
【技術分野】
【０００１】  この発明は、液晶時計などの表示盤の時刻表示の方法に関するものである。
【背景技術】
【０００２】  従来、時計の時刻の表示方法は文字盤に２本の針を動かしてアナログ式に時刻を表示するか、又は時間、分、秒を数字でデジタル式に表示するものであった。
【発明が解決しようとする課題】
【０００３】  これは次のような欠点があった。
（イ）針でアナログ式に時刻を表示するものは、細い針で示すので、視力の弱い人には見えにくい。
（ロ）一つの文字盤に２本の針によって、時間と分が表示されることから、直感的に素早く読み取るためには、かなり学習が必要である。
（ハ）２４時間表示ができない。
（ニ）数字でデジタル式に表示するものは、今の時刻は分かりやすいが、時間の経過や、これからの待ち時間などを長さとして感覚的に捉えることができない。
本発明は、これらの欠点を除くためになされたものである。
【課題を解決するための手段】
【０００４】  （イ）    見えやすいように、針で指し示すのではなく、大きい四角などの図形（２）を２４個、分を表す小さい四角などの図形（３）を６０個配置し、大きい図形（２）に、その時刻の時間の数だけ色を付け、小さい図形（３）に、その時刻の分の数だけ色を付ける。その数によって時間と分を表し、時刻を表示する。
（ロ）    時間を表す四角などの図形（２）をアーチ型に配置し、昼と夜の太陽の動きをイメージさせる。
（ハ）    時刻を直感的に素早く読み取るための助けとして、夜の時間帯を示す図形の色を濃く、昼の時間帯を示す図形の色を明るく、朝及び夕方の時間帯を表す図形の色を中間色にする。
本発明は、以上のような手段により、見やすく、分かりやすくした時計の時刻の表示方法である。
【発明を実施するための最良の形態】
【０００５】  以下、本発明の実施の形態について説明する。
（イ）    液晶などの時計の表示盤（１）の中に時間を表す大きい四角などの図形（２）をアーチ状に配置する。
（ロ）    図形の中に薄く時刻の時間を表す数字を書き込む。アーチの下の部分は夜の時間帯である。上の部分は昼の時間帯である。太陽の動きをイメージしている。
（ハ）    経過した時間に当たる四角などの図形には色を付け、その数によって現在の時刻の時間を示す。
（ニ）    イメージしやすいように、夜の時間帯の色は濃い色（５）にし、昼の時間帯の色は明るい色（４）にする。
（ホ）    分を表す小さい四角などの図形（３）を、時間を表す図形のアーチの中に配置し、経過した分に当たる図形に色を付け、その数によって現在の時刻の分を示す。
（ヘ）    分の進み具合は、該当する時間の図形の中（７）にも概容を示す。
【発明の効果】
【０００６】  本発明は、大きな図形のうち色の付いた数で、現在の時刻の時間を表し、小さな図形のうち色の付いた数で、現在の時刻の分を表すものである。この方法により、文字盤の上を２本の針が動いて時刻を示す時計に比べ、視力が弱くても読み取りやすいこと、及び時計の学習をしていない小さな子供にとっても時刻の読み方を理解しやすい表示方法となっている。また、２４時間表示が容易である。
時刻を数字によって表示するデジタル式の時計に比べると、色の付いた図形の数で時刻を表示することから、時間の長さを感覚的に捉えやすい。
なお図形の形は、四角のほかに楕円や星型などを使っても良い。
【図面の簡単な説明】
【図１】時計の表示盤である。時刻９時２６分を示す。
【図２】時計の表示盤である。時刻２１時３８分を示す。
【符号の説明】
１  時計の表示盤        ２  時間を表す図形        ３  分を表す図形
４  昼の時間をイメージする明るい色
５  夜の時間をイメージする濃い色
６  分の進み具合を示す図形の集合
７  時間を表す図形の中にも分の進み具合をイメージする色付け
【図１】
2006201146.tif 000003
【図２】
2006201146.tif 000004
(57)【要約】      （修正有）【課題】長期間海面のレベル即ち潮位を定点観測し洋上を航行する船舶の通行を妨げる事の無い非接触型センサーで正確に２４時間体制でリアルタイムに潮位情報を通知し異常潮位を検知した場合には沿岸部全域に警報を発信するシステム。【解決手段】海洋上の定点位置に設置した相対する２基以上の無人赤外線レーザー・パルス発信機Ａと、その受信装置Ｂによって潮位の異常上昇を検知し、この測位をＡ．及びＢ．点に設置したテレメータ発信機から地上の基地局２に伝達しこの基地局に設置されたコンピュータから衛星１と沿岸各地３、４、５に警報と情報を、長期間２４時間休む事無くリアルタイムに発信する。【選択図】図１
2006201147.tif 000002
【特許請求の範囲】
【請求項１】
赤外線レーザーを使用するため海洋上の船舶の航行に支障をきたさない。
【請求項２】
赤外線レーザーをパルス発信する（１：３Ｓｅｃ）ため、レーザー発信ダイオードの寿命は１万〜２万時間で、より一層長期間維持するためパルス発信する。
３秒に１回の間隔ならば３〜６万時間を稼働できる。
メンテナンスは３〜６年に１回で良い。
【請求項３】
赤外線レーザーを使用するため煙霧や霞、空気中に漂う微細なチリなどを透過する。
【請求項４】
太陽電池使用のため海洋上どこにでも設置でき（低電圧充電式電池使用）また無人観測が可能である。
【請求項５】
観測データは上記太陽電池と補助蓄電池を電源とするテレメーターによって沿岸部にある地上基地局に無線で搬送される
【請求項６】
レーザー光発信機と受信機はそれぞれ３ｍ，５ｍ，７ｍ等の任意の高さに取付け設置する事が出来、潮位の上昇位置をメートル単位で計測出来る。
【請求項７】
沿岸部より離れた海洋上に散在する島嶼や人工島に設置するため観測の常時定点観測が可能である。
【請求項８】
信頼性をあげるため、レーザービーム発信、受信機は交互に複数設置し双方向Ｗチェックシステムを構築する。
【請求項９】
各部品の規格化により、メンテナンスは各部品毎の交換が可能でメンテナンスが簡単、且つメンテ・コストを安く抑制でき、且つ在庫管理費、輸送コストを低減できる。
【請求項１０】
１０．レーザー発信機と受光機の検知度を高めるために海洋上の平面レイアウトは下記の配置とする。
Ａ．碁盤型
Ｂ．放射型
Ｃ．重複三角型
Ｄ．並行四辺形型
【発明の詳細な説明】
●発明の詳細な説明
【技術分野】本発明は海面の潮位観測装置に関するもので、詳しくは異常潮位の発生を検知する津波予知観測装置に関する物である。
【背景技術】現在はフロートなど「浮き」の原理を応用した水位計などを用いて潮位を計測しており、異常水位の上昇の計測には不安定で、しかも海水に常時接触しているため海草や貝類の付着が多く長期間の計測には難点があった。
【発明が解決しようとする課題】
長期間海面のレベル即ち潮位を定点観測し洋上を航行する船舶の通行を妨げる事の無い非接触型センサーで正確に２４時間体制でリアルタイムに潮位情報を通知し異常潮位を検知した場合には沿岸部全域に警報を発信するシステム。
【発明を実施するための最良の形態】本発明の実施形態の例を図を参照して説明する。
１．太陽電池と補助用充電式バッテリーを電源とし、海面より上の、離れた２ケ所以上の島嶼、または人工島に赤外線レーザー発信機Ａとレーザー受信機Ｂを防水型収納ケースに納め相対して固定する。
（図．１）
２．レーザー発信機と受信機は防塩水処理を施した金属製の塔枠に、３ケ所以上の任意の高さの位置に固定する。
（図．４，５）
３．本体は、距離の大小によってレーザー光の焦点を調節するために、焦点調節装置を内蔵する。
（図．２）
４．搭枠の任意の高さＡ１〜Ａ３の数ケ所の位置に設置した赤外線レーザー発信機と受光機Ｂ１〜Ｂ３は数キロを隔てて相対しており常時発信、受信を繰り返して作動しているが、このレーザー光ラインを遮断する物体（潮位の上昇）が現れ３基以上のレーザー受光部に入る信号が遮断され受信回路が閉じると同時に自動的に警戒信号を発する。
（図．１）
５．上記４．のパルス信号の遮断が大型船舶によって引き起こされた場合、基地局のコンピュータによって判断される。平面上の遮断位置と、遮断時間によって船舶の移動によるものか、海面の異常上昇によるものかを判断する事が可能で誤動作を防ぐ。
（図．３）
６．上記４．のＡ１〜Ａ３の異なる高さに設けたレーザー発信機によってそれぞれ潮位の上昇寸法を検知する事ができる。
（図．４，５）
７．上記１．の複数のレーザー発信機と受光機によるパルス信号はすべて地上に設置された基地局に集約され、コンピュータによって瞬時にデータを分析、必要に応じて警報を発する。
（図．１）
【発明の効果】
大型の重量機器が不要であり設置コストが安価で容易に施工できると共に、設置後の機器の維持メンテナンスが容易である。
そして海洋の沿岸部に住む人々にとって恐ろしい被害をもたらす津波の発生の情報を２４時間体制で監視、検知し即時に警報を発信できる防災システム用機器であり人命救助に多大の効果がある。
【図面の簡単な説明】
【図１】本発明の全体のシステムの構成図である。レーザービームが異常潮位を検知する状態を示す。
【図２】レーザービーム発信機の内部機構を省略した外形の側断面図である。
【図３】レーザービーム受光機の内部機構を省略した外形の側断面図である。
【図４】太陽電池とレーザービーム発信機とテレメータを架設した架台の側断面図である。
【図５】太陽電池とレーザービーム受光機とテレメータを架設した架台の側断面図である
【図６】図１．に示すレーザー発信機と受信機の海洋上の平面配置を示す基本的レイアウト図である。
【図７】異常潮位を検知し沿岸部に警報を発信するまでの情報伝達の経路を示す順路表である。
【図１】
2006201147.tif 000003
【図２】
2006201147.tif 000004
【図３】
2006201147.tif 000005
【図４】
2006201147.tif 000006
【図５】
2006201147.tif 000007
【図６】
2006201147.tif 000008
【図７】
2006201147.tif 000009
【手続補正書】
【提出日】平成17年5月27日(2005.5.27)
【手続補正１】
【補正対象書類名】図面
【補正対象項目名】図５
【補正方法】変更
【補正の内容】
【図５】
2006201147.tif 000010
(57)【要約】【課題】頭の髪の乱れを整え、装飾品でもあるカチュウシャに老眼用レンズを組み込んだもので、メガネを好まない女性には必需品であり、トルマリン含有のため健康にも良いトルマリン入りレンズ付きカチュウシャを提供する。【解決手段】トルマリン含有の合成樹脂製カチュウシャの中心部左右２箇所に各種形状の老眼用レンズを埋め込み、必要時に外して文書を読み、又女性の頭の髪の乱れと、装飾として使用出来ることを特徴とするレンズ付きトルマリン入りカチュウシャである【選択図】図１
2006201731.tif 000002
【特許請求の範囲】
【請求項１】
合成樹脂製カチュウシャの中心部より左右に二個所に老眼用レンズを組み込んだレンズ付きトルマリン入りカチュウシャ。
【請求項２】
合成樹脂にトルマリン鉱石の微粉末を混ぜ、射出成形機で成形した請求項１記載のレンズ付きトルマリン入りカチュウシャ。
【請求項３】
トルマリン含有合成樹脂製のカチュウシャで、頭の髪の乱れと装飾、及び老眼用レンズを設けた請求項１〜２記載のレンズ付きトルマリン入りカチュウシャ。
【請求項４】
トルマリンの鉱石の６ミクロン以下の微粉末を重量比５〜１０％をを含有した合成樹脂製のカチュウシャで，トルマリンの特性であるマイナスイオン効果、消臭効果、殺菌効果等を利用した請求項１〜３記載のレンズ付きトルマリン入りカチュウシャ。
【発明の詳細な説明】
【技術分野】
【０００１】  本発明は、女性のヘアバンドにトルマリンの粉末を混入して成形したカチュウシャに各種レンズを組み込んだカチュウシャに関するものである。
【背景の技術】
【０００２】  従来のカチュウシャは女性の頭髪の乱れの押さえと、頭部の髪飾り装飾品として使用されており、便利なものであり、合成樹脂製のものが多く、他の使い道例えばトルマリン含有のカチュウシャはなかった。
【発明の開示】
【発明が解決しようとする課題】
【０００３】  それには次のような問題があった。
（イ）女性はお洒落のためメガネを掛けるのを嫌う人が多い。
（ロ）年を取るとメガネが必需品であり、外出時は特にメガネが必要である。
（ハ）カチュウシャは若い世代の女性が使用するが、若い女性にも近年目の視力が悪い人が多い。
（ニ）トルマリン含有カチュウシャとメガネが一体化したものはなかった。
（ホ）パソコン、ゲーム、テレビ等で目を酷使している。
本発明は、以上の問題点を解決するためのものである。
【問題を解決するための手段】
【０００４】  本発明は、各種形状のカチュウシャ本体（１）の中心部より左右の各指定された位置に各種形状の穴（２）を設け、その各種形状の穴にレンズ（３）挿入する、これにより、通常はヘアーバンドとしての装飾用のカチュウシャであるが、必要時には、カチュウシャを外してレンズとしてメガネの代役をして文書を読むことが出来る、又カチュウシャ本体（１）を構成している合成樹脂にトルマリンを含有したことを特徴とするレンズつきトルマリン入りカチュウシャである。
【発明の効果】
【０００５】  女性が好まない老眼鏡等を掛けずに済み、頭部の髪の毛の乱れを防ぎ、髪飾りにもなるカチュウシャに左右二個のレンズを設け、カチュウシャ本体には合成樹脂にトルマリンの微粉末を混ぜ成形し、トルマリン効果の特性である，マイナスイオンと遠赤外線を放出し、微弱電流は常温、常圧では消滅せずに発生する等の効果が期待できる。
【発明を実施するための最良の形態】
【０００６】  以下、本発明の実施の形態を説明する。
（イ）トルマリン鉱石の６ミクロンの微粉末を５〜１０％含有した合成樹脂を設ける。
（ロ）トルマリン含有合成樹脂製のカチュウシャを射出成形機で成形する。
（ハ）合成樹脂製のカチュウシャ本体の中心部左右各指定箇所に各種形状の穴を２ヶ所設ける。
（ニ）２ヶ所の穴に老眼用のレンズを挿入する。
本発明は、以上のような構成よりなっている。
これを使用する時は、お化粧の後、頭の髪を綺麗にとかした後に、トルマリン含有のカチュウシャを頭にのせて髪の乱れを防ぎ、文書を読むときに頭から外してカチュウシャの二個の老眼用レンズで文書を読む、又本体にトルマリン含有のため、トルマリン特性のマイナスイオン、遠赤外線、微弱電流等を放出するため身体にも良い結果が期待出来る。
【図面の簡単な説明】
【０００７】
【図１】本発明の斜視図である。
【図２】本発明の正面図である。
【図３】本発明の側面図である。
【符号の説明】
【０００８】１  トルマリン含有カチュウシャ本体
２  穴
３  レンズ
【図１】
2006201731.tif 000003
【図２】
2006201731.tif 000004
【図３】
2006201731.tif 000005
(57)【要約】【課題】定規を必要とせず正確に形態を測定できる目盛りつきレントゲン袋を提供する。【解決手段】レントゲン袋の辺に沿って実寸大または一定の縮尺の目盛りを印刷して設け、目盛りの縮尺率の表示を印刷し設けたことを特徴とする。【選択図】図１
2006116927.tif 000002
【特許請求の範囲】
【請求項１】
レントゲン袋の辺に沿って実寸大または一定の縮尺の目盛りとこの目盛りの縮尺率を印刷して設けたことを特徴とする目盛りつきレントゲン写真袋。
【発明の詳細な説明】
【技術分野】
【０００１】本発明は、レントゲン写真袋に目盛りとその縮尺率を印刷して設けたレントゲン写真袋に関するものである。
【背景技術】
【０００２】従来、レントゲン写真を読影する際にはたびたび写真上の形態の大きさを測定する必要があるので、レントゲン写真に合う大きさの定規をシャーカステン（レントゲン写真をかけて読影に使用する台）のそばに用意して使用していた。あるいは、レントゲン写真の縁に目盛りがつけられていたので、それを参考にして大きさを測定していた。
【発明の開示】
【発明が解決しようとする課題】
【０００３】そのために、次のような問題点があった。
（イ）シャーカステンのそばに定規が用意されていないことがあり、用意する手間が面倒であった。
（ロ）前記のようなレントゲン写真の縁についている目盛りは測定したい形態に直接あてて図ることができず不便であった。
本発明は、これらの問題点を解決するためになされたものである。
【課題を解決するための手段】
【０００４】長方形または正方形のレントゲン写真袋に、実寸大の目盛りを一つあるいは複数の辺に沿って印刷し設ける。一定の縮尺の目盛りを他の一つあるいは複数の辺に沿って印刷し設ける。目盛りの縮尺率を示す数値を印刷し設ける。以上を特徴とする目盛りつきレントゲン写真袋である。
【発明の効果】
【０００５】レントゲン写真とレントゲン写真袋は必ずペアになっているため、レントゲン写真袋の辺に印刷された目盛りを計測したい形態にあてれば必要なときにいつでも測定ができ、定規を用意する手間が省ける。レントゲン写真の縁に表示されている目盛りはレントゲン写真そのものについているため、これを写真内の形態に直接あてることができなかったが、本発明を直接あてることによって正確に大きさが測定できる。従来のレントゲン袋をつくる以上のコストをほとんどかけずこれらを可能にする。
【発明を実施するための最良の形態】
【０００６】以下、本発明の実施の形態について説明する。
（イ）長方形または正方形のレントゲン写真袋に、その一辺に沿って、実寸大の目盛りを印刷し設ける。
（ロ）他の一辺に沿って、一定の縮尺の目盛りを印刷し設ける。
（ハ）目盛りの縮尺率を示す数値を目盛りの近くに印刷し設ける。これを設ける位置は問わないが、目盛りの縮尺率の表示であることがわかる位置に設ける。
本発明は以上のような構成で、これを使用するときは、袋の口１からレントゲン写真を取り出し、レントゲン写真をシャーカステンにかけ、レントゲン写真上の測定したい形態に、実寸大目盛り２または２／３縮尺目盛り３を当て、レントゲン写真上の形態の大きさを測定する。レントゲン画像は撮影部位により実寸大や２／３縮尺の大きさに現像されて使用されることが多いため、画像が実寸大で現像されている場合は実寸大目盛り２を用いて測定を行えば実際の大きさを知ることができ、画像が２／３縮尺で現像されている場合は２／３縮尺目盛り３を用いて計測を行えば実際の大きさを知ることができる。それぞれの目盛りの縮尺は縮尺率の表示４から知ることができる。
【実施例１】
【０００７】図に示すように、方形のレントゲン写真袋の一辺に沿って実寸大の目盛り２を印刷し設け、他の辺に２／３縮尺目盛り３を印刷し設ける。目盛りに併せて目盛りの縮尺率の表示４を印刷し設ける。実寸大目盛り２と２／３縮尺目盛り３をどの辺に印刷してもよく、長辺と短辺、長辺と長辺、または短辺と短辺に印刷する。
【実施例２】
【０００８】図２に示すように、どの向きからでも使用できるように、実寸大目盛り１を向かい合う２つの辺に、２／３縮尺目盛り２を残りの２つの辺に印刷してもよい。
【図面の簡単な説明】
【０００９】
【図１】本発明の正面図
【図２】本発明の他の実施例を示す正面図
【図３】本発明の他の実施例を示す正面図
【符号の説明】
【００１０】  １    袋の口
２    実寸大目盛り
３    ２／３縮尺目盛り
４    縮尺率の表示
【図１】
2006116927.tif 000003
【図２】
2006116927.tif 000004
【手続補正書】
【提出日】平成17年7月11日(2005.7.11)
【手続補正１】
【補正対象書類名】明細書
【補正対象項目名】０００９
【補正方法】変更
【補正の内容】
【０００９】
【図１】本発明の正面図
【図２】本発明の他の実施例を示す正面図
(57)【要約】【課題】この発明は不幸のあった場合に年賀状にかえて出す喪中はがき（欠礼はがき）に関し、従来の喪中はがきと比較して、文面から亡き故人を想い、思い出を偲ぶことのできる喪中はがきを提供しようとするものである。【解決手段】はがき（裏面）１に、文章２、故人顔写真や思い出の写真４により構成したことで故人を尊び身近に感じ、故人との思い出を偲ぶことのできる喪中はがきとなる。【選択図】図１
2006116923.tif 000002
【特許請求の範囲】
【請求項１】
故人の顔写真や家族との思い出の写真を入れ構成したことを特徴とする喪中はがき（欠礼はがき）。
【発明の詳細な説明】
【技術分野】
【０００１】この発明は、不幸のあった場合に年賀状にかえて出す、喪中はがき（欠礼はがき）の構成様式に関する。
【背景技術】
【０００２】従来の喪中はがきは、図２に示すように、はがき（裏面）１に、文章２とイラストデイン３により構成され、印刷されたものである。
【発明の開示】
【発明が解決しようとする課題】
【０００３】しかしながら、以上の技術によれば、年賀はがきの欠礼としての機能は十分に果たしているが、文章、イラストデザインにより構成されているもので、シンプルで個性がなく、その文面から亡き故人を想い、思い出を偲ぶには不十分と思われる。
そこでこの発明は、故人の写真を入れ構成することで、はがき差出人及び受取人において、故人との思い出を偲び共有することのできる喪中はがきを提供することを課題とする。
【課題を解決するための手段】
【０００４】以上の課題を解決するために、第一発明は、故人の顔写真や思い出の写真を入れ構成したことを特徴とする喪中はがきである。
【発明の効果】
【０００５】第一発明によれば、喪中はがきに故人の顔写真や思い出の写真を入れ構成したことにより故人を尊び、故人との親近感を感じることができる。また、喪中はがき受取人においても思い出を尊ぶことのできるものとなる。
【発明を実施するための最良の形態】
【０００６】この発明の一実施形態を、図１に示す。
はがき（裏面）１に、文章２、故人の写真４を入れ構成している。【０００７】「実施形態の効果」
この実施形態によれば、故人の顔写真や思い出の写真を入れたことで、故人を慈しみ、尊ぶことができ、また欠礼はがきをとしての役割だけでなく、はがきを身近に飾ることで、故人との思い出を振り返り、大切に保存することができる喪中はがきとなる。
「他の実施形態」【０００８】図１の形態では、文章２と写真４での構成であったが、他の実施形態では図１にデザインイラスト３も入れ構成したものでもよく、または複数の写真を入れ構成したものでも良い。
【図面の簡単な説明】
【０００９】
【図１】この発明の一実施形態を示す平面図である。
【図２】従来技術を示す平面図である。
【符号の説明】
【００１０】    １  はがき（裏面）              ２  文章
３  デザインイラスト            ４  写真
【図１】
2006116923.tif 000003
【図２】
2006116923.tif 000004
(57)【要約】【課題】  〔０００１〕  長尺プリンターは、ロール状の用紙を給紙し印刷機構部で適宜印刷された後排紙される構造となっており、排紙後所望の長さに切断されるものであるから、プリントアウト後自動的に所望の長さに切断できるよう横切りカッターを備えているものもある。しかしながら、長尺印刷をする場合、必ずしも印刷幅は用紙幅に一致しているわけではなく、幅狭印刷の場合は用紙の差し替えをしたり、あるいは幅広用紙に同時に数列印刷し印刷後改めて縦割り切断をしなければならないなどの不便さがあった。また、長いものは裁断に数名を要するなど不合理であった。【課題を解決するための手段】  〔０００２〕  この発明は、プリンターの排紙部分に紙送りと平行に刃先を向けたカッターを１個または複数個儲け、これを位置決めして排紙面に臨ませることにより排紙時に自動的に列割切断出来るようにしたものである。【選択図】図２
2006116926.tif 000002
【特許請求の範囲】
【請求項１】
排紙部に送紙方向と平行に刃先を向けたカッターを備えたことを特徴とするカッター付長尺プリンター。
【発明の詳細な説明】
【発明の詳細な説明】
【０００１】  この発明は、長尺プリンターに係り、プリント排紙される紙を縦切りするカッターを備えたものに関する。
【技術分野】
【０００２】  この発明は、排紙裁断カッターを備えた長尺プリンターに係る。
【背景技術】
【０００３】  長尺プリンターは、ロール状の用紙を給紙し印刷機構部で適宜印刷された後排紙される構造となっており、排紙後所望の長さに切断されるものであるから、プリントアウト後自動的に所望の長さに切断できるよう横切りカッターを備えているものもある。しかしながら、長尺印刷をする場合、必ずしも印刷幅は一定ではなく、幅狭印刷の場合は用紙の差し替えをしたり、あるいは幅広用紙に同時に数列印刷し、印刷後改めて縦割り切断をしなければならないなどの不便さがあった。【０００４】  屋外、屋内に係らずインクジェット印刷による広告、看板は一般的となった。装置も大型化し最大印刷面幅も約１，８００ｍｍもある。印刷速度も年々スピードアップし省力化の方向にある。印刷についても単品から複数枚まで多岐にわたっている。ロール紙の横切りについてはデータを入力した時点で印刷が終了時に自動的にカットしてくれる。ただ、印刷物が大量にある場合は印刷幅に対して２列、３列と割付印刷し、印刷後、巻き取ったロール紙をほどいて縦切りをしていた。縦切りの寸法が短い場合は１人で作業できるが長い場合は定規をゲージにしてカットするため２人の作業を要していた。
【発明が解決しようとする課題】
【０００５】  この発明は、上述の従来の長尺印刷の不便さを解決するためになされたものである。
【課題を解決するための手段】
【０００６】  この発明は、プリンターの排紙部分に紙送りと平行に刃先を向けたカッターを１個または複数個儲けこれを位置決めして排紙面に臨ませることにより列割切断を出来るようにしたものである。
【実施例１】
【０００７】  次にこの発明の一実施例を図１について説明する。（１）はこの発明のカッター付長尺プリンターで、このカッター付長尺プリンター（１）は両側の脚（２）（３）の上部にプリント機構（４）を設け、また、脚（２）（３）の中間部には印刷後の排出紙を巻き取る巻き取り機構（５）を備えている。そして、プリント機構（４）の排紙口部（６）には送紙方向と直角でかつ水平の支軸（７）を介してカッター機構（８）を設けて成る。【０００８】  つぎに、カッター機構部（８）を図２、図３について説明する。
このカッター機構部（８）は、本体（１）のプリント機構部（４）の排紙口（６）側に設けた水平の支軸（７）の中間部においてこの水平軸（７）に貫通孔（９）を介して異動可能に嵌合した保持具（１０）、この保持具（１０）の貫通孔（９）側部から水平の支軸（７）に臨ませた締め付けネジ（１１）、保持具（１０）の下部に締め付けネジ（１２）によって緩止した挟圧片（１３）とから成り、この挟圧片（１３）と締め付けネジ（１２）によってカッター（１４）の刃面（１５）を紙（１６）が送られてくる方向に向けて固定する。なお、（１７）は排紙台（１８）に水平の支軸（７）に沿って設けられた溝で、カッター（１４）の刃面（１５）を紙（１６）の下部まで臨ませることが出来るように設けたものである。また、本実施例ではカッター機構（８）を１個設けたが、複数列に裁断する必要があるときは裁断列数に応じて複数個取り付ける。
【発明の作用説明】
【０００９】  このように構成したこの発明の長尺プリンター（１）を使用するにあたっては、カッター機構部（８）の締め付けネジ（１１）を緩めて水平の支軸（７）の適宜の位置まで移動し、締め付けネジ（１１）を締めて固定する。
【００１０】  つぎに、締め付けネジ（１２）でカッター（１４）の刃を締め付け固定する。この際、カッター（１４）の刃（１５）が紙（１６）の移動面より下になるように溝（１７）内に臨ませる。
【００１１】  このようにして裁断位置を決め、印刷を開始すると、印刷されて排出される紙（１６）は送紙にともないカッター（１４）によって所定の位置で自動的に縦に裁断される。
【発明の効果】
【００１２】  本発明は、上述のように構成したので、カッター（１４）を水平の支軸（７）の所定の位置に固定することによって印刷されて出て来る紙（１６）をその場で自動的に裁断することが出来、従来のように、印刷後ロール巻きされた紙を再びほどいて裁断する手間も無く、長尺印刷の縦裁断作業を飛躍的に改善するものである。
【図面の簡単な説明】
【図１】は、この発明のカッター付長尺プリンター全体の斜視図。
【図２】は、図１のカッター機構部の側面図。
【図３】は、図２の正面図。
【符号の説明】
（１）カッター付長尺プリンター本体
（７）支軸
（８）カッター機構部
（１０）保持具
（１１）（１２）締め付けネジ
（１３）挟圧片
（１４）カッターの刃
【図１】
2006116926.tif 000003
【図２】
2006116926.tif 000004
【図３】
2006116926.tif 000005